【手続補正書】
【提出日】平成28年6月9日(2016.6.9)
【手続補正１】
【補正対象書類名】明細書
【補正対象項目名】００３５
【補正方法】変更
【補正の内容】
【００３５】
コンテンツ要素に対する閲覧者の反応を決定するための方法、装置及びシステムの様々な実施例（これらは例示的であり限定的ではないことを意図する）について説明したが、前述の教示を鑑みて、変更及び変形が当業者により行われてもよい点に留意すべきである。従って、本発明の範囲及び要旨内にある開示された本発明の特定の実施例において変更が行われてもよいことが分かる。前述は本発明の様々な実施例を対象としているが、本発明の他の実施例及び更なる実施例は、この基本範囲を逸脱することなく考えられ得る。
以上の実施例に関し、更に、以下の項目を開示する。
（付記１）コンテンツの要素に対する閲覧者の反応を決定するシステムであって、
閲覧者が前記コンテンツを見ているときに前記閲覧者のバイオメトリック測定を記録し、前記バイオメトリック測定を使用して閲覧者フィードバック信号を生成するように構成されたバイオメトリックセンサと、
閲覧されたコンテンツのコンテンツメタデータ信号と、前記閲覧者フィードバック信号とを同期させ、前記コンテンツの各要素に対する閲覧者反応スコアを決定するために、前記コンテンツメタデータ信号の各要素と、前記閲覧者フィードバック信号の前記バイオメトリック測定とを関連付けるように構成された装置と
を有するシステム。
（付記２）前記バイオメトリック測定は、前記閲覧者の心拍数、皮膚コンダクタンス及び脳波測定データのうち少なくとも１つを有する、付記１に記載のシステム。
（付記３）前記閲覧者フィードバック信号及びコンテンツメタデータ信号の同期は、前記閲覧者フィードバック信号及び前記コンテンツメタデータ信号のタイムスタンプを識別し、同じ基準点を有するように前記タイムスタンプを位置合わせすることを有する、付記１に記載のシステム。
（付記４）前記コンテンツメタデータ信号の各要素と前記閲覧者フィードバック信号の前記バイオメトリック測定との関連付けは、
前記閲覧者フィードバック信号と前記コンテンツメタデータ信号との間の相関の大きさを示す相関値を計算し、
前記閲覧者フィードバック信号及び前記コンテンツメタデータ信号の相関基礎分布値を計算し、
前記相関値及び前記相関基礎分布値を使用して、前記閲覧者反応スコアを決定する統計有意性テストを実行することを有する、付記１に記載のシステム。
（付記５）前記相関基礎分布値の計算は、前記同期した閲覧者フィードバック信号及び前記コンテンツメタデータ信号を再サンプリングすることを有する、付記４に記載のシステム。
（付記６）前記同期した閲覧者フィードバック信号及び前記コンテンツメタデータ信号の再サンプリングは、
i)前記閲覧者フィードバック信号と前記コンテンツメタデータ信号との間のいずれか既存の関連付けを壊すために、前記コンテンツメタデータ信号について、ランダム化されたコンテンツメタデータ信号を決定するランダム化関数を実行し、
ii)前記ランダム化されたコンテンツメタデータ及び前記閲覧者フィードバック信号で相関関数を実行し、
iii)前記ランダム化関数について異なるシード値を使用してステップi)及びii)を繰り返すことを有する、付記５に記載のシステム。
（付記７）前記再サンプリングは、前記相関基礎分布値の非パラメトリック推定値を生じる、付記６に記載のシステム。
（付記８）コンテンツの要素に対する閲覧者の反応を決定する方法であって、
閲覧されたコンテンツに対する閲覧者の反応のバイオメトリック測定を記録することにより、閲覧者フィードバック信号を生成するステップと、
前記閲覧されたコンテンツのコンテンツメタデータ信号と、前記閲覧者フィードバック信号とを同期させるステップと、
前記コンテンツの各要素に対する閲覧者反応スコアを決定するために、前記コンテンツメタデータ信号の各要素と、前記閲覧者フィードバック信号の前記バイオメトリック測定とを関連付けるステップと
を有する方法。
（付記９）閲覧者フィードバック信号を生成するステップは、バイオメトリックセンサを使用してコンテンツに対する閲覧者の反応を監視することを有する、付記８に記載の方法。
（付記１０）前記閲覧者フィードバック信号は、前記閲覧者の心拍数、皮膚コンダクタンス及び脳波測定データのうち少なくとも１つのバイオメトリック測定を有する、付記９に記載の方法。
（付記１１）前記同期させるステップは、前記閲覧者フィードバック信号及び前記コンテンツメタデータ信号のタイムスタンプを識別し、同じ基準点を有するように前記タイムスタンプを位置合わせすることを有する、付記９に記載の方法。
（付記１２）前記関連付けるステップは、
前記閲覧者フィードバック信号と前記コンテンツメタデータ信号との間の相関の大きさを示す相関値を計算し、
前記閲覧者フィードバック信号及び前記コンテンツメタデータ信号の相関基礎分布値を計算し、
前記相関値及び前記相関基礎分布値を使用して、前記閲覧者反応スコアを決定する統計有意性テストを実行することを有する、付記８に記載の方法。
（付記１３）前記相関基礎分布の計算は、前記同期した閲覧者フィードバック信号及び前記コンテンツメタデータ信号を再サンプリングすることを有する、付記１２に記載の方法。
（付記１４）前記再サンプリングは、
i)前記閲覧者フィードバック信号と前記コンテンツメタデータ信号との間のいずれか既存の関連付けを壊すために、前記コンテンツメタデータ信号について、ランダム化されたコンテンツメタデータ信号を決定するランダム化関数を実行し、
ii)前記ランダム化されたコンテンツメタデータ及び前記閲覧者フィードバック信号で相関関数を実行し、
iii)前記ランダム化関数について異なるシード値を使用してステップi)及びii)を繰り返すことを有する、付記１３に記載の方法。
（付記１５）コンテンツの要素に対する閲覧者の反応を決定する装置であって、
閲覧されたコンテンツのコンテンツメタデータ信号と、閲覧者フィードバック信号とを同期させるデータ同期手段と、
前記コンテンツの各要素に対する閲覧者反応スコアを決定するために、前記コンテンツメタデータ信号の各要素と、前記閲覧者フィードバック信号のバイオメトリック測定とを関連付ける関連付け手段と
を有する装置。
（付記１６）i)前記閲覧者フィードバック信号と前記コンテンツメタデータ信号との間のいずれか既存の関連付けを壊すために、前記コンテンツメタデータ信号について、ランダム化されたコンテンツメタデータ信号を決定するランダム化関数を実行し、
ii)前記ランダム化されたコンテンツメタデータ及び前記閲覧者フィードバック信号で相関関数を実行し、
iii)前記ランダム化関数について異なるシード値を使用してステップi)及びii)を繰り返すように構成された再サンプリング手段を有する、付記１５に記載の装置。
（付記１７）前記閲覧者フィードバック信号と前記コンテンツメタデータ信号との間の相関の大きさを示す相関値を計算し、
前記閲覧者フィードバック信号及び前記コンテンツメタデータ信号の相関基礎分布値を計算し、
前記相関値及び前記相関基礎分布値を使用して、前記閲覧者反応スコアを決定する統計有意性テストを実行するように構成された統計有意性手段を有する、付記１５に記載の装置。
（付記１８）前記データ同期手段は、前記閲覧者フィードバック信号及び前記コンテンツメタデータ信号のタイムスタンプを識別し、同じ基準点を有するように前記タイムスタンプを位置合わせする、付記１５に記載の装置。